(57)【要約】      （修正有）【課題】暗渠排水管を利用する地下灌漑を用いて米の収量を拡大できる水稲不耕起乾田Ｖ溝直播栽培の播種方法を提供する。【解決手段】暗渠排水管１０ａを利用する地下灌漑１０が可能な水田１２に溝断面がＶ字の播種溝１６を形成しその播種溝１６に水稲種子と肥料を同時に播種施肥する直播機を用いて行う水稲不耕起乾田Ｖ溝直播栽培において、水田１２に縦方向の播種溝１６ａと横方向の播種溝１６ｂを直交させて形成する水稲不耕起乾田Ｖ溝直播栽培の播種方法。【選択図】図１
2019170242.tif 000002
【特許請求の範囲】
【請求項１】
暗渠排水管を利用する地下灌漑が可能な水田に溝断面がＶ字の播種溝を形成しその播種溝に水稲種子と肥料を同時に播種施肥する直播機を用いて行う水稲不耕起乾田Ｖ溝直播栽培において、水田に縦方向の播種溝と横方向の播種溝を直交させて形成することを特徴とする水稲不耕起乾田Ｖ溝直播栽培の播種方法。
【請求項２】
水田の横方向に播種溝を形成すると同時に水田全体に播種する水稲種子の適正播種量のうち少量を播種した後、水田の縦方向に播種溝を形成すると同時に残りの水稲種子を肥料とともに播種施肥することを特徴とする請求項１記載の水稲不耕起乾田Ｖ溝直播栽培の播種方法。
【発明の詳細な説明】
【技術分野】
【０００１】
本発明は、水稲不耕起乾田Ｖ溝直播栽培の播種方法に関する。
【背景技術】
【０００２】
水稲の栽培には、苗代・田植えを行う移植栽培と、種籾を水田に直に播く直播栽培がある。
近年では、乾いた水田（乾田）の縦方向にＶ字型の溝を切ってその中に直接種籾と肥料を同時に播く直播機を用いて播種する水稲不耕起乾田Ｖ溝直播栽培が注目されている。水稲不耕起乾田Ｖ溝直播栽培は、秋耕起又は雪解け水で代掻きをし、乾燥固結させ播種する。春季には苗代・田植えも行わないため、農作業を省力化できる。労働時間は１０ａ当たり６〜７時間程度と、移植栽培（労働時間約１０時間）に比較して３〜４割も少ない。また、出芽・苗立ちが安定しており、コメの収量は移植栽培とほとんど差がないことが知られている。稲作農家の高齢化、大規模農業の拡大が進む現在の水稲栽培において、水稲不耕起乾田Ｖ溝直播栽培は、今後さらに広がるものと考えられる。
【０００３】
水稲栽培におけるコメの収量拡大（多収）は、従来からの課題となっている。
従来は、多量の肥料を使って、米の収量を上げていた。しかし、多量の肥料を使って米の収量を上げる場合、その収穫が１０ａ当たり５５０ｋｇ〜６００ｋｇを超えると、品質・食味が低下し、タンパク質も高くなるという、問題があった。
【０００４】
上記課題を解決するために、整地を行った乾田に播種し灌水する直播水稲農法に使用する加熱装置が提供されている（例えば、特許文献１）。
【０００５】
特許文献１の加熱装置を用いた直播水稲農法は、整地を行った乾田に播種し灌水する直播水稲農法において、灌漑用水の供給源および灌水地点の少なくとも一方に当該灌漑用水を加熱する加熱装置を設け、田を挟んで前記灌水地点と対向する位置に、用水路に連通する水門を設けるものである。上記直播水稲農法によると、直播水稲を行う田に加熱装置から温水を吐出し、田の水の温度を高めることができ、籾の発芽・苗立に要する時間（日数）を短縮させ、酸素不足解消や成長促進のために従来使用してきた農薬使用を可能な限り控えることができる。また、米の収穫量も確実に安定増大させることができる。
【先行技術文献】
【特許文献】
【０００６】
【特許文献１】特開平１１−１０３６９９
【発明の概要】
【発明が解決しようとする課題】
【０００７】
特許文献１の直播水稲農法は、田に暗渠以外に灌漑用水を加熱する加熱装置を設けるものである。田に加熱装置を新たに設置することはコストがかかり、農業経営の負担となるおそれがあった。
【０００８】
上述の欠点を解決するために、暗渠排水管を利用する地下灌漑を用いて米の収量を拡大できる水稲不耕起乾田Ｖ溝直播栽培の播種方法を提供することを目的とするものである。
【課題を解決するための手段】
【０００９】
本発明の水稲不耕起乾田Ｖ溝直播栽培の播種方法は、暗渠排水管を利用する地下灌漑が可能な水田に溝断面がＶ字の播種溝を形成しその播種溝に水稲種子と肥料を同時に播種施肥する直播機を用いて行う水稲不耕起乾田Ｖ溝直播栽培において、水田に縦方向の播種溝と横方向の播種溝を直交させて形成するようにしたものである。
【００１０】
また、水田の横方向に播種溝を形成すると同時に水田全体に播種する水稲種子の適正播種量のうち少量を播種した後、水田の縦方向に播種溝を形成すると同時に残りの水稲種子を肥料とともに播種施肥するようにしたものである。
【発明の効果】
【００１１】
本発明の水稲不耕起乾田Ｖ溝直播栽培の播種方法は、加熱装置を設置しないものであるため、新たなコストをかけることなく、既設の地下灌漑を利用して、収量の拡大を実現するものである。
また、水田に播種する水稲種子の適正播種量を水田の縦方向と横方向の播種溝に分散させて播種することで、密植を避けることができる。これにより、従来の縦方向の播種溝のみに播種する乾田稲作栽培に比べてイネに多くの太陽光をあてることができ、イネ同士の栄養分の奪い合いを軽減できることから、適量の施肥で収量を拡大することができる。従来の栽培方法では、多量の肥料を使って米の食味・品質を向上させていたが、本発明では適正な量の肥料で、タンパク質の低い、食味・品質の高い米を生産できる。さらには、播種される水稲種子の間隔を空けることができることから、初期の分げつが十分に行われ、安定増産できる。
【図面の簡単な説明】
【００１２】
【図１】本発明の水稲不耕起乾田Ｖ溝直播栽培の播種方法の実施形態の一例を示す図である。
【図２】水田における播種後の水田の播種溝を表す図である。
【発明を実施するための最良の形態】
【００１３】
本発明は、既設の地下灌漑を利用して、多収を実現可能にするものである。
【実施例】
【００１４】
本発明の水稲不耕起乾田Ｖ溝直播栽培の播種方法を図に基づいて説明する。図１は、本発明の水稲不耕起乾田Ｖ溝直播栽培の播種方法の実施形態の一例を示す図である。図２は、水田における播種後の播種溝を表す図であり、図（１）は従来の播種後の縦方向の播種溝を表す図、図（２）は図１の水田における播種後の縦方向の播種溝を表す図、図（３）は図１の水田における播種後の横方向の播種溝を表す図である。図２（１）〜（３）中、図（ａ）は播種溝の断面図、図（ｂ）は播種溝の平面図である。
なお、本願において、縦方向の播種溝とは、道路に面した水田に道路と垂直に形成されるものである。横方向の播種溝とは、道路に面した水田に道路と平行に形成されるものである。縦方向の播種溝と横方向の播種溝は、水田においてそれぞれ直交している。
【００１５】
本発明の水稲不耕起乾田Ｖ溝直播栽培の播種方法は、暗渠排水管を利用する地下灌漑が可能な水田に溝断面がＶ字の播種溝（以下、本願において「Ｖ溝」という。）を形成しそのＶ溝に水稲種子（籾）と肥料を同時に播種施肥する直播機を用いて行う水稲不耕起乾田Ｖ溝直播栽培において、水田に縦方向の播種溝と横方向の播種溝を直交させて形成するものである。
本発明の水稲不耕起乾田Ｖ溝直播栽培は、地下灌漑１０が可能な水田１２で行うものである（図１）。暗渠排水管１０ａを利用する地下灌漑１０は、暗渠排水管１０ａの上流部を用水路１４に接続し、暗渠排水管１０ａに灌漑用水１４ａを注水することによって、耕作区（水田１２）に埋設される小孔を有する暗渠排水管１０ａを通じて毛細現象により地下水位を上昇させ、作土層すなわち播種溝１６内の水稲種子（籾）１８（図２）に水分を供給する、田畑転換を可能にする公知の灌漑システムである。暗渠排水管１０ａの下流部は、排水路２０に連絡している。
【００１６】
なお、上記地下灌漑１０を用いた農法では、発芽に必要な最適量の水分を地下から供給することから、発芽揃いが早く、均一に出る。大雨の時は、短時間に排水できることから、長時間の過湿を防止でき、発芽不良は起こらない。したがって、地下灌漑１０を用いた農法によると、良品質で食味の良い米を安定生産できる。
また、地下灌漑１０を用いた農法は、転作物の収量安定化、品質向上、連作障害の回避、農薬の削減等に有効なことが知られている。
【００１７】
本発明の水稲不耕起乾田Ｖ溝直播栽培は、水田（乾田）１２にＶ溝１６を形成しそのＶ溝１６に水稲種子１８と肥料２２を同時に播種施肥する公知の直播機を用いて行う、いわゆる不耕起Ｖ溝直播とも呼ばれている水稲栽培であり（図２）、農作業を省力化でき、耐倒伏性に優れている。
上記の直播機は、開口部幅２ｃｍ、深さ５ｃｍのＶ溝１６を水田１２に形成するものである。Ｖ溝１６に播種することにより、安定した苗立ちと生育が得られ、鳥害（カモ・カラス・スズメ等の食害）も回避できるものである。
また、Ｖ溝１６が冠水しても、地下灌漑１０によりＶ溝１６内の水を排水することができる。
【００１８】
従来のＶ溝直播による水稲不耕起乾田直播栽培においては、水田（乾田）１２に縦方向のＶ溝１６ａのみを形成していた（図２（１））。本発明は、水田（乾田）１２に、縦方向のＶ溝１６ａとそのＶ溝１６ａに直交する横方向のＶ溝１６ｂを設けるものである（図１、図２（２）・（３））。また、本発明は、地下灌漑農法によるものであり、縦・横方向のいずれのＶ溝１６ａ、１６ｂにも水分を供給することができることから、縦方向のみのＶ溝１６ａを形成する従来の水稲不耕起乾田直播栽培に比べ多収が可能になる。
以上のように、本発明の水稲不耕起乾田Ｖ溝直播栽培の播種方法によると、加熱装置を設置する従来の農法とは異なり新たなコストをかけることなく、既設の地下灌漑を利用して、収量の拡大を実現することができる。
【００１９】
本発明における播種施肥は、最初に、横方向のＶ溝１６ｂに播種する。水稲種子の適正播種量（１０ａ当たり６〜１０ｋｇ）のうち、その適正播種量のうち少量を横方向のＶ溝１６ｂに播種し、横方向のＶ溝１６ｂには肥料を施肥しない（図２（３））。たとえば、縦方向のＶ溝１６ａのみを形成する従来の播種方法では、そのＶ溝１６ａに１ｍ当たり６０粒を播種する。これに対し、本願発明の播種方法では、横方向のＶ溝１６ｂに１ｍ当たり１０〜２０粒を播種した後、縦方向のＶ溝１６ａに１ｍ当たり４０〜５０粒を肥料とともに播種施肥する。
水田に播種する水稲種子の適正播種量を水田の縦方向と横方向の播種溝に分散させて播種することで、密植を避けることができ、従来の縦方向の播種溝のみに播種する乾田稲作栽培に比べて、イネに太陽光をあてることができ、イネ同士の栄養分の奪い合いを軽減できることから、適量の施肥で収量を拡大することができる。従来の栽培方法では、多量の肥料を使って米の食味・品質を向上させていたが、本発明では適正な量の肥料で、タンパク質の低い、食味・品質の高い米を生産できる。
さらには、播種される水稲種子の間隔を空けることができることから、初期の分げつが十分に行われる。分げつ初期の茎数の多少は収量に関係する。有効分げつを早期に確保することで、無効分げつの発生を抑制でき、安定増産できる。なお、無効分げつが増えると、過繁茂となり、倒伏・病気の発生を引き起こす原因となり、また、食味も低下する可能性がある。
【００２０】
（試験例）
前作が大豆の耕作区で本発明の水稲不耕起乾田Ｖ溝直播栽培を行った。
３月に雪解け水を使用して代かきし、耕作区の均平・整地を行った（播種床作り）。また、本試験例のような田畑の一年輪作の組合せの場合、この代かきにより、圃場の雑草埋土種子量を削減することができる。
４月下旬〜５月上旬に地下灌漑により乾田にした（乾田作り）。５月中旬に乾田に１０条（作業幅２ｍ）の不耕起Ｖ溝直播機を用いて種播きを行った（不耕起Ｖ溝直播）。播種量は１０ａ当たり７ｋｇで、横方向のＶ溝１６ｂに２ｋｇを播種した後（図２（３））。縦方向のＶ溝１６ａに５ｋｇを播種すると同時に肥料を施肥した（図２（２））。
播種後、６月に出芽し、８月に出穂した。１０月に刈り取りを行った。
なお、上記不耕起Ｖ溝直播機は、種子ホッパー・肥料ホッパーと、各ホッパーから排出される所定量の種子・肥料を田面上に導出するガイドパイプと、ガイドパイプの吐出口の下方にＶ字の播種溝（Ｖ溝）を形成する作溝輪と、その播種溝（Ｖ溝）に播種された種子・肥料に覆土する覆土チェーンとを備える公知の播種機を装着したトラクターである。
【００２１】
（収量）
本発明の水稲不耕起乾田Ｖ溝直播栽培の播種方法は、他の直播栽培よりも播種深度が深く、耐肥性があり、倒伏に強いイネを生育することができた。また、無効分げつが少なく、稈長が揃い、登熟良好であった。
播種量１０ａ当たり７ｋｇを、縦方向の播種溝１６ａに５ｋｇ、横方向の播種溝１６ｂに２ｋｇそれぞれ分散して播種したことにより、密植の競合を減らすことができ、茎数・粒数（１平方メートル当たり４０，０００〜５０，０００粒）を確保できた。また、食味が良い、良品質の米を収穫することができた。
従来の乾田直播（縦方向のみの直播）による米の収量は、６００ｋｇ／１０ａを越えなかった、しかし、本発明では、条件の良くないところで１０ａ当たり６００ｋｇの収量を得た。条件の良いところでは７５０ｋｇの収量を得ることができた。
【００２２】
試験栽培の収量結果は以下の通りであった。
（Ａ）比較例
従来の乾田直播では、収量は５６０ｋｇ／１０ａであり、その収量のうち３５ｋｇがくず米であった。
（Ｂ）試験例
本発明（試験例）では、収量は７５５ｋｇ／１０ａであり、その収量のうち２８ｋｇがくず米であった。また、千粒重（実入り具合）は、２３〜２５ｇであり、移植栽培の２１〜２２ｇに比べ、実入りが良かった。収穫された米の食味値は８０であった。
以上のとおり、既設の地下灌漑を利用し、播種施肥するＶ溝（播種溝）を水田の縦方向とそれに直交させて横方向に形成する本発明の不耕起乾田Ｖ溝直播栽培により、良品質の米を多く収穫できることが分かった。
【００２３】
今後、水稲においても転作作物（大豆、ネギ、ニンニクなどの畑作物）においても、高品質化、収量増、低コスト化が求められる。上記試験例では、大豆転作地でのローテーションで水稲を栽培したが、水稲の連作地における肥料の量より少ない量で、従来の乾田直播より多くの収穫ができた。大豆転作地での水稲栽培は、肥料を削減できることが分かった。また、水稲転作地でのローテーションで大豆を栽培すると、大豆の収穫量も増えた。
１年ごとの輪作による組み合わせ（特に、豆科作物との組み合わせ）では、作物の根が深く入ることから、根域が深くなり作土が大幅に増える。作物の根が深くかつ広く張ることで、強風、低温、干ばつ等の気象変動に強い作物を育成できる。また、土中環境の変化により微生物の働きが活発になり、有機物の分解も早まることから、土作りにも好影響が出てくる。
したがって、田畑転換を可能にする灌漑システムである本発明の水稲不耕起乾田Ｖ溝直播栽培は、水稲においても転作作物においても高品質化、収量増、減肥による低コスト化を図れる可能性があるものである。
【符号の説明】
【００２４】
１０  地下灌漑
１０ａ  暗渠排水管
１２  水田
１６，１６ａ，１６ｂ  播種溝
１８  水稲種子
２２  肥料
【図１】
2019170242.tif 000003
【図２】
2019170242.tif 000004